(57)【要約】      （修正有）【課題】複数の折り畳み用の操作部がある折り畳みテーブルにあって、天板の回転操作をスマートに行え、操作しない操作部の近くに障害物があっても折り畳み動作を行うことができる折り畳みテーブルを提供する。【解決手段】折り畳みテーブル１では、水平状態から起立状態まで回転可能な天板４と、水平状態の天板４の係止部に対して係脱可能であり、当該係止により天板４を固定する１つ以上のロック爪２８と、左右に配置される、ロック爪２８と一体である突出部３２を、全て離脱させる方向へ移動させるための左右のレバー３４とを備え、左（右）のレバー３４ないしその外枠は、右（左）のレバー３４が右の突出部３２を移動させることで左（右）のレバー３４に係る左（右）の突出部３２が連動した場合の連動範囲に干渉しない形状となっている。【選択図】図４
2008119047.tif 000002
【特許請求の範囲】
【請求項１】
水平状態から起立状態まで回転可能な天板と、
水平状態の天板の係止部に対して係脱可能であり、当該係止により天板を固定する１つ以上のロック部材と、
左右に配置される、ロック部材又はこれを連動させる連動部材を、全て離脱させる方向へ移動させるための左右のレバーと
を備え、
レバー又はその周辺部材は、他方のレバーがロック部材又は連動部材を移動させることで自身に係るロック部材又は連動部材が連動した場合の連動範囲に干渉しない形状となっている
ことを特徴とする折り畳みテーブル。
【請求項２】
レバーは、前方へ引出可能であり、引出されることにより、ロック部材又は連動部材を、離脱させる方向である前方へ押す
ことを特徴とする請求項１に記載の折り畳みテーブル。
【請求項３】
レバーは、周辺部材としての外枠に収容されており、
外枠に、ロック部材又は連動部材の移動範囲を避ける孔が開けられている
ことを特徴とする請求項１又は請求項２に記載の折り畳みテーブル。
【請求項４】
レバーは、ロック部材又は連動部材の移動範囲を避ける孔が開けられたものであり、当該孔の周囲部によってロック部材又は連動部材を押す
ことを特徴とする請求項１ないし請求項３のいずれかに記載の折り畳みテーブル。
【請求項５】
レバーは、ロック部材又は連動部材の移動方向と逆側の部分を押すための突起を備えている
ことを特徴とする請求項１ないし請求項３のいずれかに記載の折り畳みテーブル。
【発明の詳細な説明】
【技術分野】
【０００１】
本発明は、オフィスの会議室等で用いられる折り畳みテーブルに関する。
【背景技術】
【０００２】
従来の折り畳みテーブルとして、下記特許文献１に記載のものが知られている。この折り畳みテーブルは、脚に対して回転可能に取り付けた天板の下側左右に、係止ピンを有するスライド部材をそれぞれ備えると共に、左右の脚の上部に、係止ピンが係止可能であるラッチプレート部材をそれぞれ備えている。この折り畳みテーブルでは、天板が水平状態及び起立状態にある場合に、係止ピンがラッチプレート部材に係止して天板が固定される。一方、天板を回転させる場合には、一方のスライド部材を手前に引いて、各係止ピンを対応するラッチプレート部材から離し、各係止ピンによる係止を解除した状態で、天板を動かす。このとき、双方の係止ピンないしはラッチプレート部材が動作するので、操作したスライド部材に連動して他方のスライド部材も手前に引き出る。
【０００３】
【特許文献１】特許第２８６８７５５号公報
【発明の開示】
【発明が解決しようとする課題】
【０００４】
このような折り畳みテーブルでは、天板を回転させる場合に、操作していないスライド部材もつられて引き出てしまうため、余計な動作が生じてスマートでないし、操作していないスライド部材に椅子の肘等が近寄っていた場合等には、操作していないスライド部材がうまく引き出ず、折り畳み動作を円滑に実行できない事態の生じる可能性がある。
【０００５】
そこで、請求項１に記載の発明は、複数の折り畳み用の操作部がある折り畳みテーブルにあって、天板の回転操作をスマートに行え、操作しない操作部の近くに障害物があっても折り畳み動作を行うことができる折り畳みテーブルを提供することを目的としたものである。
【課題を解決するための手段】
【０００６】
上記目的を達成するために、請求項１に記載の発明は、水平状態から起立状態まで回転可能な天板と、水平状態の天板の係止部に対して係脱可能であり、当該係止により天板を固定する１つ以上のロック部材と、左右に配置される、ロック部材又はこれを連動させる連動部材を、全て離脱させる方向へ移動させるための左右のレバーとを備え、レバー又はその周辺部材は、他方のレバーがロック部材又は連動部材を移動させることで自身に係るロック部材又は連動部材が連動した場合の連動範囲に干渉しない形状となっていることを特徴とするものである。
【０００７】
請求項２に記載の発明は、上記目的に加えて、テーブル使用時に使用者が誤ってレバーを押して折り畳み動作可能となってしまう事態を防止しながら、操作されないレバーがつられて引出ない構造をよりシンプルに構成する目的を達成するため、上記発明にあって、レバーは、前方へ引出可能であり、引出されることにより、ロック部材又は連動部材を、離脱させる方向である前方へ押すことを特徴とするものである。
【０００８】
請求項３に記載の発明は、上記目的に加えて、操作されないレバーがつられて引出ない構造を一層シンプルに構成する目的を達成するため、上記発明にあって、レバーは、周辺部材としての外枠に収容されており、外枠に、ロック部材又は連動部材の移動範囲を避ける孔が開けられていることを特徴とするものである。
【０００９】
請求項４に記載の発明は、上記目的に加えて、操作されたレバーに係るロック部材又は連動部材のみ押され、他方のレバーに係るロック部材又は連動部材はレバーと協働しない構造をより一層シンプルに構成する目的を達成するため、上記発明にあって、レバーは、ロック部材又は連動部材の移動範囲を避ける孔が開けられたものであり、当該孔の周囲部によってロック部材又は連動部材を押すことを特徴とするものである。
【００１０】
請求項５に記載の発明は、上記目的に加えて、操作されたレバーに係るロック部材又は連動部材が押されても、他方のレバーに係るロック部材又は連動部材はレバーに係合しない構造をより一層シンプルに構成する目的を達成するため、上記発明にあって、レバーは、ロック部材又は連動部材の移動方向と逆側の部分を押すための突起を備えていることを特徴とするものである。
【発明の効果】
【００１１】
本発明によれば、左右のレバーのいずれか一方を操作すれば天板を回転することができ、しかもこのとき操作されない他方のレバーは動かないので、天板の回転を、無駄な動きの発生しない状態で容易に行うことができる。
【発明を実施するための最良の形態】
【００１２】
以下、本発明の実施形態につき説明する。ただし、本発明の実施形態は、以下の実施形態に限定されない。
【００１３】
［第１実施形態］
図１は第１実施形態に係る折り畳みテーブル１の使用時における右半部斜視図であり、図２は折り畳みテーブル１の使用時における左の天受部２を含む断面図である。折り畳みテーブル１は、ほぼ左右対称であるので、右半部又は左半部を中心に説明する。
【００１４】
折り畳みテーブル１は、前後に長い一対の天受部２を含む天板４と、対応する天受部２を軸支する一対の脚部６と、各脚部６の下側前後に設けられたキャスター８と、各脚部６の後において上下動可能に設置される幕板１０を備える。
【００１５】
脚部６はＬ字状であり、前後方向となった下部の前後端縁に、キャスター８がそれぞれ設けられる。各キャスター８は、鉛直軸周りで回転可能に設置され、方向転換をすることができるようになっている。又、幕板１０は、各脚６の後側（表側）に固定される。更に、各脚部６の間であって、幕板１０の前側（裏側）には、貫１４が渡されている。
【００１６】
図３に分解斜視図を示す天受部２は、箱状の外枠１８を有すると共に、外枠１８の下面後部に軸付板２０を備えており、軸付板２０の前部は、貫１４の端縁と一体の軸受板２２に軸着される。又、軸付板２０は、内側へ向かう係止部としての突部２４を備える。各脚部６の間には、自身の軸周りで回転可能に左右共通の連動棒２６が設けられ、連動棒２６の各端付近には、ロック部材としてのロック爪２８が、連動棒２６と一体に設けられる。そして、テーブル使用時においては、ロック爪２８が突部２４に掛かって天板４を水平状態に保持し、折り畳み開始時には、連動棒２６の回転によりロック爪２８が突部２４から離れることで天板４の起立状態への回転を許す。なお、連動棒２６は、バネ３０によって、ロック爪２８が突部２４に掛かる方向へ付勢されている。
【００１７】
ロック爪２８の上部は、突出部３２とされており、突出部３２は、テーブル使用時、天受部２に受け入れられる。天受部２の外枠１８の内部には、前端縁の露出するレバー３４が、前後移動可能に設けられており、レバー３４後部に開けられた前後に長い移動長孔３５において突出部３２を受入可能である。外枠１８下面の移動長孔３５に対応する位置には、前後に長い長孔３６が開けられており、突出部３２は長孔３６にも受入れられる。
【００１８】
なお、外枠１８には、前後に長い規制長孔３７が開けられると共に、レバー３４には、ピン３８を固定する固定孔３９が開けられており、ピン３８が規制長孔３７と固定孔３９に通されることで、レバー３４の前後方向の移動範囲が規制されている。又、レバー３４のピン３８と外枠１８との間には、バネ４０が介装されている。バネ４０は、ピン３８に係止されている。
【００１９】
テーブル使用時、レバー３４は、突出部３２を引くことなく移動長孔３５において受け入れる位置（収容位置）にある。一方、折り畳み開始時、図４に示すように、バネ４４に抗して一方のレバー３４の露出部分を前方へ引き、当該レバー３４を引出位置とすると、レバー３４の移動長孔３５の後端が突出部３２の後側に接触して突出部３２の頭部を引き、連結棒２６を介して左右双方のロック爪２８を突部２６から離れる方向へ回転させる。
【００２０】
ここで、外枠１８の長孔３６は、回転移動する突出部３２の移動範囲以上の長さを有し、突出部３２の回転を遮らない。又、図５に示すように、連動棒２６を介して他方の突出部３２が回転しても、レバー３４の移動長孔３５も長孔３６と同様に突出部３２の移動範囲以上の長さを有するので、突出部３２が移動長孔３５及び長孔３６内を移動し、よって連動棒２６ないしは双方のロック爪２８の動作を阻害しないし、一方のレバー３４につられて他方のレバー３４が前方へ引出されてしまうこともない。
【００２１】
なお、引出したレバー３４を離すと、バネ４０の付勢力によりレバー３４が収容位置に戻る。又、レバー３４が収容位置にあると、ピン３８は規制長孔３７の後端に位置し、レバー３４が突出部３２や連動棒２６を介してロック爪２８を突部２６から完全に離す引出位置にあると、ピン３８は規制長孔３７の前端に位置する。
【００２２】
そして、いずれか一方若しくは双方のレバー３４を引きながら、天板４の前辺を若干下げれば、図６に示すようにロック爪２８が突部２４に掛からないので、天板４を折り畳むことができる。
【００２３】
第１実施形態の折り畳みテーブル１では、水平状態から起立状態まで回転可能な天板４と、水平状態の天板４の突部２４に対して係脱可能であり、当該係止により天板４を固定する１つ以上のロック爪２８と、左右に配置される、ロック爪２８と一体である突出部３２を、全て離脱させる方向へ移動させるための左右のレバー３４とを備え、左（右）のレバー３４ないしその外枠１８は、右（左）のレバー３４が右の突出部３２を移動させることで左（右）のレバー３４に係る左（右）の突出部３２が連動した場合の連動範囲に干渉しない形状となっているため、左右にレバー３４があっても、いずれか一方のレバー３４を引出せば使用状態における天板４の固定を折り畳みのために解除することができ、しかもその際に他方のレバー３４が飛び出てしまわず、当該他方のレバー３４の前に椅子の肘等が存在しても一方のレバー３４の操作の妨げにならないし、折り畳み時の余分な動作を排除して折り畳み動作の見栄えを良好なものとすることができる。
【００２４】
しかも、折り畳みテーブル１では、レバー３４は、前方へ引出可能であり、引出されることにより、突出部３２を、全てのロック爪２８が離脱する方向である前方へ押すので、テーブル使用時に使用者が誤ってレバー３４を押して折り畳み動作可能となってしまう事態を防止しながら、操作されないレバー３４がつられて引出ない構造をよりシンプルに構成することができる。
【００２５】
更に、レバー３４は、外枠１８に収容されており、外枠１８に、突出部３２の移動範囲を避ける長孔３６が開けられているので、操作されないレバー３４が連動的に引出ることのない構造を一層シンプルに構成することができる。
【００２６】
加えて、レバー３４は、突出部３２の移動範囲を避ける移動長孔３５が開けられたものであり、移動長孔３５の周囲後部によって突出部３２を押すので、操作されたレバー３４に係る突出部３２のみ押され、他方のレバー３４に係る突出部３２が空転する構造をより一層シンプルに構成することができる。
【００２７】
［第２実施形態］
本実施形態は、第１実施形態に比較して、レバーの構成及び突出部の有無のみ相違する。本実施形態において、第１実施形態と同様の部材には、同じ符号を付す。図７は第２実施形態の折り畳みテーブル５１におけるレバー５４周りの分解斜視図であり、図８は折り畳みテーブル５１の使用時における左の天受部２を含む断面図である。
【００２８】
折り畳みテーブル５１において、突出部は設けられず、連動棒２６には、左右のロック爪２８のみ固定される。
【００２９】
一方、レバー５４の後部であって、外枠１８の長孔３６に相当する位置には、下方へ突出する突起５６が設けられている。突起５６は、後下がりの斜面５８を有しており、図９に示すように、レバー５４が収納位置にあるとロック爪２８に接触しない。
【００３０】
他方、図９ないしは図１０に示すように、レバー５４が引出されると、レバー５４と共に前進する突起５６は、斜面５８によりロック爪２８を前方へ押す。すると、前方へ押されたロック爪２８は、連動棒２６の周りで回転移動し、連動棒２６は他方のロック爪２８を回転移動させるが、前方に回転する他方のロック爪２８が後方の突起５６に干渉することはなく、他方のロック爪２８の移動に伴い、対応するレバー５４が動作してしまうことはない。
【００３１】
そして、レバー５４の引出操作により、双方のロック爪２８が突部２４から離れている状態で、天板４の手前を若干下降させると、図１１に示すように、以後レバー５４を操作せずとも、折り畳み動作を続けることができる。
【００３２】
第２実施形態の折り畳みテーブル５１では、水平状態から起立状態まで回転可能な天板４と、水平状態の天板４の突部２４に対して係脱可能であり、当該係止により天板４を固定する１つ以上のロック爪２８と、左右に配置され連動棒２６で連結されるロック爪２８を、全て離脱させる方向へ移動させるための左右のレバー５４とを備え、左（右）のレバー５４ないしその外枠１８は、右（左）のレバー５４が右のロック爪２８を移動させることで左（右）のレバー５４に係る左（右）のロック爪２８が連動した場合の連動範囲に干渉しない形状となっているので、左右にレバー５４があっても、いずれか一方のレバー５４を引出せば使用状態における天板４の固定を折り畳みのために解除することができ、しかもその際に他方のレバー５４が連動して飛び出てしまわず、一方のレバー５４の操作の妨げにならないし、折り畳み時の余分な動作を排除して折り畳み動作の見栄えを良好なものとすることができる。なお、レバー５４は、ロック爪２８を直接移動させるので、突出部が不要となり、部品点数を抑えて構成をより一層シンプルにすることができる。
【００３３】
又、レバー５４は、ロック爪２８の移動方向と逆側であるロック爪２８後部を押すための突起５６を備えているので、操作されたレバー５４に係るロック爪２８のみ押され、他方のレバー５４に係るロック爪２８は空転する構造をより一層シンプルに構成することができる。
【００３４】
［変更例］
なお、主に上記実施形態を変更して成る、本発明の他の実施形態を例示する。第１実施形態において、連動棒の中央のみにロック爪を設けると共に、これに対する係止部を天板に設け、更に左右にロック爪とは別体の突出部（連動部材）を設けると共に、ロック爪と各突出部とを連動棒で接続することで、左右いずれかのレバーの引出による突出部の移動に基づき、連動棒を介してロック爪が係止部から離脱するようにする。第２実施形態において、連動棒に第１実施形態と同様の突出部を設け、この突出部をレバー後部の突起が移動させるようにする。又、いずれかの実施形態において、左右のロック爪とは別体の突出部（連動部材）を連動棒と一体で（ロック爪に隣接するように）設ける。
【図面の簡単な説明】
【００３５】
【図１】本発明の第１実施形態に係る折り畳みテーブルの使用時における右半部説明図である。
【図２】第１実施形態に係る折り畳みテーブルの使用時における左の天受部を含む断面図である。
【図３】図２の折り畳みテーブルの左の天受部及びその周辺の分解斜視図である。
【図４】図２の折り畳みテーブルの折り畳み開始時における左の天受部を含む断面図である。
【図５】第１実施形態に係る折り畳みテーブルの折り畳み開始時における右の天受部を含む断面図である。
【図６】図２の折り畳みテーブルにおける折り畳み動作の説明図である。
【図７】本発明の第２実施形態に係る折り畳みテーブルにおけるレバー及びその周辺部材の分解斜視図である。
【図８】第２実施形態に係る折り畳みテーブルの使用時における左の天受部を含む断面図である。
【図９】第２実施形態に係る折り畳みテーブルの折り畳み開始時における左の天受部を含む断面図である。
【図１０】第２実施形態に係る折り畳みテーブルの折り畳み開始時における右の天受部を含む断面図である。
【図１１】図８の折り畳みテーブルにおける折り畳み動作の説明図である。
【符号の説明】
【００３６】
１，５１    折り畳みテーブル
４    天板
１８    外枠（周辺部材）
２６    連動棒
２８    ロック爪（ロック部材）
３２    突出部
３４，５４    レバー
【図１】
2008119047.tif 000003
【図２】
2008119047.tif 000004
【図３】
2008119047.tif 000005
【図４】
2008119047.tif 000006
【図５】
2008119047.tif 000007
【図６】
2008119047.tif 000008
【図７】
2008119047.tif 000009
【図８】
2008119047.tif 000010
【図９】
2008119047.tif 000011
【図１０】
2008119047.tif 000012
【図１１】
2008119047.tif 000013